(57)【要約】【課題】  カーテンの本数を増加させることなく、より多様な背景を使用しての写真撮影が可能とな自動写真撮影装置を提供する。【解決手段】  被写体を収容するスペースを有する撮影ブースと、撮影ブースの前面側に設置された筐体と、写真撮影の際に被写体に照明光を照射する第１の照明手段とを設けるとともに、それぞれが異なる態様の型抜部を有し、撮影視野内への展開が可能とされた一以上の型抜カーテンと、型抜部を有さず、それぞれ異なる着色が施され、撮影視野内への展開が可能とされ、前記型抜カーテンよりも背面側に配列された一以上の着色カーテンと、前記第１の照明手段と同期して、撮影視野内に展開された前記着色カーテンの表面に照明光を照射する第２の照明手段と設ける。【選択図】  図４
2005208352.tif 000002
【特許請求の範囲】
【請求項１】
被写体を収容するスペースを有する撮影ブースと、前記撮影ブースの前面側に設置され、該撮影ブース内の被写体を撮影するための少なくとも一の撮影手段を備える筐体と、前記被写体の写真撮影の際に、前記被写体に照明光を照射する第１の照明手段と、前記撮影ブースの背面側に設置されたカーテン収容部とを備える自動写真撮影装置であって、
前記カーテン収容部は、それぞれが異なる態様の型抜部を有し、撮影視野内への展開が可能とされた一以上の型抜カーテンと、型抜部を有さず、それぞれ異なる着色が施され、撮影視野内への展開が可能とされた一以上の着色カーテンと、前記第１の照明手段と同期して、撮影視野内に展開された前記着色カーテンの表面に照明光を照射する第２の照明手段とを備え、
前記一以上の型抜カーテンは、前記一以上の着色カーテンよりも、前面側に配列されていることを特徴とする自動写真撮影装置。
【請求項２】
前記第２の照明手段は、前記一以上の着色カーテンよりも、前記カーテン収容部の前面側に配置されていることを特徴とする請求項１に記載の自動写真撮影装置。
【請求項３】
被写体を収容するスペースを備える撮影ブースと、前記撮影ブースの前面側に設置され、該撮影ブース内の被写体を撮影するための少なくとも一の撮影手段を備える筐体と、前記被写体に対して照明光を照射する第１の照明手段と、前記撮影ブースの背面側に設置されたカーテン収容部とを備える自動写真撮影装置であって、
前記カーテン収容部は、前記カーテン収容部の前面側から背面側にかけて配列され、撮影視野内への段階的な展開が自在とされた、それぞれ異なる色彩が施された複数の着色カーテンと、前記第１の照明手段と同期して、撮影視野内に展開された前記複数の着色カーテンの表面に照明光を照射する第２の照明手段とを備えることを特徴とする自動写真撮影装置。
【請求項４】
前記カーテン収容部の背面板に着色が施されていることを特徴とする請求項１〜３に記載の自動写真撮影装置。
【請求項５】
前記カーテン収容部と、前記撮影ブースの間に、透光性の隔壁が設けられていることを特徴とする請求項１〜４のいずれか一項に記載の自動写真撮影装置。
【請求項６】
前記カーテンは、前記カーテン収容部の天井部にロール状に巻かれて収納されることを特徴とする請求項１〜５のいずれか一項に記載の自動写真撮影装置。
【請求項７】
前記カーテンを支持する支持部材を回転駆動することにより、前記カーテンの撮影視野内への展開と、撮影視野内からの収納を行うことを特徴とする請求項６に記載の自動写真撮影装置。
【発明の詳細な説明】
【技術分野】
【０００１】
本発明は、撮影ブース内において被写体の写真を撮影する自動写真撮影装置に関し、特に、複数のカーテンを利用して、様々な態様の背景で写真撮影を行うことができる自動写真撮影装置に関する。
【背景技術】
【０００２】
従来より、撮影ブース内に向けて設置されたカメラなどの撮影手段により被写体の画像を撮影し、当該画像を写真としてユーザに提供する自動写真撮影装置が知られている。
【０００３】
このような自動写真撮影装置には、撮影ブースの背面部に、撮影視野内への展開と収納が可能にされた、配色や模様が異なる複数のカーテンを設置し、利用者の好みに応じて異なるカーテンを背景にして写真撮影を行うことが可能とされているものがある。
【０００４】
また近年では、音楽やナレーションを再生させながら、一連の写真撮影（撮影セッション）をプログラム制御で自動的に進行させるとともに、写真撮影毎に、各種照明による照明効果や、背景に使用するカーテンの種類を自動的に変更していくことが可能な自動写真撮影装置も使用されており、更には、照明効果や使用されるカーテンの種類が異なる複数種類の撮影セッションの実行が可能とされ、利用者が希望の撮影セッションを選択できるようにされた自動写真撮影装置も使用されている
【特許文献１】特開２０００−２６７１７９号公報
【発明の開示】
【発明が解決しようとする課題】
【０００５】
このような自動写真撮影装置では、利用者が繰り返して装置を利用しても飽きを感じてしまわないようにするため、利用者が選択できる、或いは、撮影セッションにおいて使用されるカーテンの種類を増加させることが望まれている。
【０００６】
しかし、撮影視野内への展開と収納が可能にされたカーテンは、設置のために一定のスペースを必要とするため、装置を大型化することなく、カーテンの種類を多様化することには限界があるという問題があった。
【課題を解決するための手段】
【０００７】
本発明は、上記の問題点を解決したものであり、被写体を収容するスペースを有する撮影ブースと、前記撮影ブースの前面側に設置され、該撮影ブース内の被写体を撮影するための少なくとも一の撮影手段を備える筐体と、前記被写体の写真撮影の際に、前記被写体に照明光を照射する第１の照明手段と、前記撮影ブースの背面側に設置されたカーテン収容部とを備える自動写真撮影装置であって、前記カーテン収容部は、それぞれが異なる態様の型抜部を有し、撮影視野内への展開が可能とされた一以上の型抜カーテンと、型抜部を有さず、それぞれ異なる着色が施され、撮影視野内への展開が可能とされた一以上の着色カーテンと、前記第１の照明手段と同期して、撮影視野内に展開された前記着色カーテンの表面に照明光を照射する第２の照明手段とを備え、前記一以上の型抜カーテンは、前記一以上の着色カーテンよりも、前面側に配列されていることを特徴とする自動写真撮影装置である。
【０００８】
即ち、本発明では、カーテン収容部が、撮影視野内への展開が可能とされた一以上の型抜カーテンと、当該型抜カーテンよりも背面側において撮影視野内への展開が可能とされた一以上の着色カーテンを備えているため、いずれかの型抜カーテンか、いずれかの着色カーテンを背景とする写真撮影が可能であることに加えて、いずれか一の型抜カーテンを撮影視野内に展開した状態で、更に、いずれか一の着色カーテンを撮影視野内に展開させることにより、前面側の型抜カーテンの型抜部から背面側の着色カーテンの色彩が現れている状態を背景とした写真撮影を行うことが可能となり、更には、撮影視野内に展開させる型抜カーテンと着色カーテンの組み合わせによって、型抜部の態様や、型抜部から現れる色彩を変化させることが可能となり、カーテンの本数を増加させることなく、より多様な背景を使用しての写真撮影が可能となる。
【０００９】
また、本発明のカーテン収容部には、写真撮影の際に利用者に対して照明光を照射する第１の照明手段に同期して、着色カーテンの表面に照明光を照射する第２の照明手段が設けられている。
【００１０】
従って、前面側の型抜カーテンと、背面側の着色カーテンとを撮影視野内に展開して写真撮影を行う場合に、第１の照明手段の照明光が型抜カーテンの型抜部だけを通過することにより着色カーテン上に生じる影を、第２の照明手段の照明光により薄めることができ、影の写真への写り込みを防止することが可能となる。
【００１１】
ここで、本発明における型抜カーテンは、カーテンに型抜（穴あき）の部分（型抜部）を形成し、当該型抜部から、当該型抜カーテンよりも背面側に配置されたカーテンなどの色彩や模様などが見えるようにしたものであり、型抜部の形状や大きさは任意であり、また、型抜カーテン上に設ける型抜部の個数は単一でも、複数でも良く、また、同一形状の型抜部を規則正しく、或いは、ランダムに配列することが可能であり、また、種々の異なる形状の型抜部を規則正しく、或いは、ランダムに配列することが可能である。
【００１２】
また、本発明における型抜部の目的は、背面側のカーテンなどの色彩などが写真に写り込むようにすることであるため、型抜部を設けることによるカーテンの強度の低下を防止する等のために、各型抜部に透明のシートを形成することも可能である。
【００１３】
また、本発明の着色カーテンは、少なくともカーテンの表面（前面側の面）に写真撮影の背景として使用する着色が施されたカーテンであり、カーテンの全面に渡って単一の色彩が施されていてもよく、或いは、グラデーションなどの所定の模様を形成するように着色が施されていても良い。
【００１４】
また、本発明の第２の照明手段は、写真撮影用のストロボランプ（フラッシュライト）を利用して構成することが可能であり、或いは、いわゆる視覚効果用ストロボ（視覚効果用フラッシュ）や、白熱灯などの他の照明手段を使用することも可能である。
【００１５】
この視覚効果用ストロボは、広告灯や電飾看板などにおいて使用され、閃光を発することで人々の注意を引くことを意図して使用されているものであり、業務用のストロボランプと比較すると、光量や色温度の安定性などに劣る面はあるものの、写真撮影の瞬間にカーテン上に生じる影を薄くするという本発明の目的は十分達成することが可能なものである。
【００１６】
また、本発明の第２の照明手段は、カーテン収容部の側壁部や床部、或いは、天井部などにおいて、各着色カーテンの表面に照明光を照射出来る位置に配置することができ、例えば、各着色カーテンよりも前面側（撮影手段に近い側）の位置に配置することができる。
【００１７】
なお、本発明の第２の照明手段は、撮影の際の第１の照明手段による照明光の照射に同期して、照明光を照射するものであるが、必ずしも、第１の照明手段が照明光を照射する瞬間以外は消灯されている必要がある訳ではなく、例えば、常時、室内照明程度、或いは、ムード照明のような弱い光を点灯しておき、撮影時に第１の照明手段が照明光を照射する際には、これに同期して、その照明光による着色カーテン上の影消しを行うのに十分な程度の照明光を照射するようにしても構わない。
【００１８】
また、本発明は、被写体を収容するスペースを備える撮影ブースと、前記撮影ブースの前面側に設置され、該撮影ブース内の被写体を撮影するための少なくとも一の撮影手段を備える筐体と、前記被写体に対して照明光を照射する第１の照明手段と、前記撮影ブースの背面側に設置されたカーテン収容部とを備える自動写真撮影装置であって、前記カーテン収容部は、前記カーテン収容部の前面側から背面側にかけて配列され、撮影視野内への段階的な展開が自在とされた、それぞれ異なる色彩が施された複数の着色カーテンと、前記第１の照明手段と同期して、撮影視野内に展開された前記複数の着色カーテンの表面に照明光を照射する第２の照明手段とを備えることを特徴とする自動写真撮影装置とすることも可能である。
【００１９】
かかる本発明においては、カーテン収容部には、撮影視野内への段階的な展開が可能とされた複数の着色カーテンが設けられている。
【００２０】
従って、撮影視野内に展開させたいずれかの着色カーテンを背景として写真撮影を行うことが可能であることに加えて、前面側にあるいずれかの着色カーテンを、例えば半分程度、撮影視野内に展開させるとともに、当該着色カーテンよりも背面側にある着色カーテンを完全に撮影視野内に展開させるなどにより、複数の着色カーテンを組み合わせた状態を背景にして写真撮影を行うことが可能となり、カーテンの本数を増加させることなく、より多様な背景を楽しむことが可能となる。
【００２１】
また、本発明においても、写真撮影の際に利用者に対して前面側から照明光を照射する第１の照明手段に同期して、着色カーテンの表面に照明光を照射する第２の照明手段が設けられているため、上記と同様に、前面側の着色カーテンにより背面側の着色カーテン上に生じる影を、第２の照明手段による照明光により薄めることが可能であり、第２の照明手段の配置位置としては、例えば、前面側から２番目に配列された着色カーテンよりも前面側とすることができる。
【００２２】
また、上記各本発明において、カーテン収容部の背面板に着色を施すことが好ましく、これにより、カーテン収容部の背面を写真撮影の際の背景として使用することを可能とし、これにより、背景の種類の更なる多様化を達成することができる。
【００２３】
また、上記各本発明において、カーテン収容部と、撮影ブースとの間に透光性の隔壁が設けられていることが好ましく、これにより、各カーテンの背景としての利用が可能な状態で、利用者がカーテンに触れることでカーテンを毀損するなどの不都合を回避することが可能となる。
【００２４】
この透光性の隔壁は、無色透明、又は、撮影ブース側からカーテン収容部内のカーテンを背景として撮影することが可能な程度の有色透明のガラスやアクリル樹脂などにより構成することができ、その表面には、マット加工（ナシ地加工）による微細な凹凸が形成されていることが好ましく、これにより、第１の照明手段などによる照明光が隔壁で反射されて写真に写り込むことを防止され、或いは、背景となるカーテンがある程度ぼやけて写るようになることで、利用者にフォーカスされ、浅い被写界深度で撮影した印象の画像を得ることが可能となる。
【発明を実施するための最良の形態】
【００２５】
以下、本発明の実施の形態を、添付図面を参照して説明する。
【００２６】
図１は本発明の一実施形態に係る自動写真撮影装置１の側面図であり、図２、３は同装置１が備える筺体２０の正面側一部切り欠き斜視図、及び、裏面図であり、図４は同装置１の撮影ブース１０内部、及び、カーテン収容部４０を示す説明図である。
【００２７】
図示されるように、自動写真撮影装置１は、撮影ブース１０と、撮影ブース１０の前面側に設けられた筺体２０と、撮影ブース１０の背面側に設けられたカーテン収容部４０とを備えて構成されている。
【００２８】
筺体２０は、その中段部の左右、及び、中央に乳半の拡散板２１ａ、２２ａ、２３ａを介して撮影ブース１０内への照明光を照射する３つのライトボックス、及び、上段部、及び、下段部に透明の材料で形成されたプリズムパネル２４ａ、２５ａを介して撮影ブース１０内への照明光を照射する２つのライトボックスを備えている。
【００２９】
中段部左右のライトボックスには、室内照明のための蛍光灯２１ｂ、２２ｂと、写真撮影時に被写体に前面側から照明光を照射するためのフラッシュライト２１ｃ、２２ｃ、及び、これらの光源からの光を適切に撮影ブース１０へ導くための湾曲した状態で取り付けられた発泡樹脂製反射板２１ｄ、２２ｄが設けられており、中段部中央のライトボックスには、室内照明のための図示されない蛍光灯と発泡樹脂製反射板が設けられている。
【００３０】
また、左側のフラッシュライト２１ｃからの照明光は、アルミ製導光板２１ｅにより主として拡散板２１ｄに方向付けられ、右側のフラッシュライト２２ｃからの照射光は、アルミ製導光板２２ｅにより主として反射板２２ｄに方向付けられており、これにより照明光に左右非対称性が与えられて、立体的で奥行きのある写真撮影が可能になっている。
【００３１】
また、上段、及び、下段のライトボックスには、写真撮影時に被写体に前面側から照明光を照射するためのフラッシュライト２４ｃ、２５ｃ、及び、これらのフラッシュライトの光を適切に撮影ブース１０内に導くための湾曲した状態で取り付けられた発泡樹脂製反射板２４ｄ、２５ｄが設けられており、上段のフラッシュライト２４ｃからの照射光は、アルミ製導光板２４ｅにより主としてプリズムパネル２４ａに方向付けられ、下段のフラッシュライト２５ｃからの照射光は、アルミ製導光板２５ｅにより主として発泡樹脂製反射板２４ｄに方向付けられている。なお、上段のフラッシュライト２４ｃからの光の一部は、上段の拡散板２４ｆからも撮影ブース１０内に照射されるようになっている。
【００３２】
ここで、上記のプリズムパネルとしては、例えば、図５（ａ）にその断面を示すような、透明のアクリル樹脂やガラス製の板材Ｐ１の表面に、数ｍｍから１ｃｍ程度の大きさの球面状、円錐状、角錐状、フレネルレンズ状などの凹部Ｐ２を全面に形成することで、光を屈折させて透過させるようにしたものや、或いは、図５（ｂ）にその断面を示すような、上記のような板材Ｐ１の内層に、レンズ形状が付与された第１の屈折率よりも大きい第２の屈折率を有するアクリル樹脂やガラス製の材料層Ｐ３を設けることで、より大きく光を屈折させて透過させるようにしたものを使用することができ、これにより、照明光を透過させる一方で、筺体２０の内部機構が外部から見えてしまわないようすることができる。
【００３３】
また、発泡樹脂製反射板としては、例えば、平均気泡径が５０μｍ以下で気泡率８０％以上の独立気泡を有し、厚みが０．２〜３ｍｍ、密度が０．７ｇ／ｃｍ３以下であり、硫酸バリウム白色板との相対値で可視光の全反射率９９％以上、拡散反射率９５％以上である熱可塑性ポリエステル発泡シートを使用することができ、このような発泡樹脂製反射板は、可視光周辺の広い周波数帯域を均等に反射するために、いきいきとした色合いの撮影画像を得ることが可能となり、また、自由に湾曲させて取り付けることが可能であるため、照明効果の微妙な調整を容易に行うことが可能となる。
【００３４】
上記構成では、乳半の拡散板２１ａ、２２ａを使用することで、光源から比較的近距離に位置する被写体をまんべんなく照明することを可能にする一方で、プリズムパネル２４ａ、２５ａを通過したフラッシュライト２４ｃ、２５ｃからの照明光をそのまま照射することにより、被写体が筐体２０に近づきすぎた場合でも、乳半の白が投影されて画像が白っぽくなってしまわないようにされている。
【００３５】
また、筺体２０中段部の拡散板２３ａ、及び、下段部のプリズムパネル２５ａには、それぞれ切り抜き窓が設けられており、当該窓に、撮影ブース１０内の利用者を撮影するためのＣＣＤカメラ２６、２７、及び、当該カメラにより撮影した映像をリアルタイムで表示するディスプレイ２８、２９が取り付けられており、それぞれ異なる高さからの写真撮影を行うことが可能になっている。
【００３６】
また、ＣＣＤカメラ２６の下方には、利用者に対する案内を表示し、或いは、撮影モードの指定などの各種の入力を受け付けるためのタッチパネル式モニタ３０が設けられており、当該タッチパネル式モニタ３０の右方には利用料金を受け入れるためのコイン投入口３１が、更に、筺体２０の上方左右には、利用者に対する案内や音楽などを再生するためのスピーカ３２が設けられている。
【００３７】
更に、筺体２０の裏面中央部には、撮影された写真画像に対するらくがきやレイアウトの設定などの入力を受け付けるためのタッチパネル式モニタ３３とタッチペン３４ａ、ｂのセットが設けられ、また、その左右には、利用者に対する案内や音楽などを再生するためのスピーカ３５が設けられている。
【００３８】
更に、筐体２０には、撮影された写真画像、或いは、これにらくがきやレイアウトが施された画像を印刷出力するプリンタ６１（図７参照）が内蔵されており、筐体２０の裏面には、該プリンタ６１により印刷された写真プリントを排出する写真排出口３６が設けられている。
【００３９】
撮影ブース１０は筺体２０の背面側に隣接して設けられており、撮影ブース１０の天井面１１、及び、両側面１２に設けられた遮光性の板乃至シート、及び、筺体２０、カーテン収容部４０により囲われた空間に、利用者を収容する撮影スペースが形成されている。
【００４０】
また、撮影ブース１０の一側面または両側面１２には利用者が出入りするための開口１３が形成され、該開口１３には、遮光性のカーテン１４が吊設され、撮影時には、該カーテン１４を閉じることで外部光を遮断し、撮影スペースを、ある程度独立した空間とすることが可能とされている。
【００４１】
また、撮影ブース１０の天井面１１には、図示されない複数の室内照明が設けられていることに加え、撮影ブース１０背面側の一方の側面１２に近接した位置には、乳半の拡散板１５ａを介してフラッシュライトによる照明光を照射するライトボックス１５が設けられており、利用者の頭髪に白味を与え、頭髪に光沢感を持たせた写真の撮影が可能となっている。
【００４２】
撮影ブース１０の背面側には、カーテン収容部４０が設けられており、撮影ブース１０とカーテン収容部４０の間は、２枚の遮光性の張出板４１と、当該張出板４１に取り付けられ、表面にマット処理加工が施されたアクリル樹脂製の透明隔壁４２により仕切られている。
【００４３】
カーテン収容部４０の天井部４３には、それぞれ、中心の支持部材上にロール状に巻かれた２枚の型抜カーテン４６と、４枚の着色カーテン４７が載置されており、２枚の型抜カーテン４６は、前面側に、４枚の着色カーテン４７は、その背面側に配列されている。
【００４４】
２枚の型抜カーテン４６は、図６（ａ）、（ｂ）に示すように、それぞれ、丸形状の型抜部（穴あき部）４６ａ、及び、菱形形状の型抜部４６ｂが複数、規則的に配列されて形成された白地のカーテンであり、４枚の着色カーテン４７は、それぞれ、異なる色彩や模様（例えば、４枚の着色カーテン４７のうち３枚には、赤、青、黄色などの、それぞれ異なる色彩を施し、残りの１枚には、左上方から右下方にかけて、例えば、赤→緑→黄色などに色彩が変化する虹のようなグラデーション模様を施すことができる）が施された型抜部を有さないカーテンであり、それぞれ、展開された状態で、ＣＣＤカメラ２６、２７の撮影視野または画角に対して十分な大きさの矩形形状を有している。
【００４５】
また、カーテン収容部４０の背面板４５の前面側の表面全体にも、写真撮影の背景として使用することができる色彩乃至模様（この実施形態では、緑色の色彩）が施されている。
【００４６】
また、カーテン収容部４０の天井部には各カーテン４６、４７の載置位置に対応して開口が設けられ、更に、各カーテン４６、４７の上記支持部材には、後述する制御手段５０の制御により当該支持部材を回転駆動するためのモータ４８が取り付けられており、このモータ４８の回転駆動により、上記開口から各カーテン４６、４７のカーテン収容部４０内への展開（繰り出し）、及び、撮影ブース内からの収納（巻き取り）を個別に行うことが可能とされている。
【００４７】
更に、カーテン収容部４０の一方の側壁部４４には、最も前面側に配列された着色カーテン４７が展開された際の吊設位置よりも若干前面側の位置に、２つのフラッシュライト４９が取り付けられており、写真撮影の際のフラッシュライト２１ｃ、２２ｃ、２４ｃ、２５ｃによる利用者に対する照明光の照射に同期して、これらのフラッシュライト４９が発光して照明光を着色カーテン４７、或いは、背面板４５の前面側の表面に照射することで、フラッシュライト２１ｃ、２２ｃ、２４ｃ、２５ｃなどにより着色カーテン４７や背面板４５上に投影された型抜カーテン４６の影（型抜部４６ａ、４６ｂのみを光が通過することにより生じる影）が写真に写り込まないようにされている。
【００４８】
なお、フラッシュライト４９の前面側には、遮光性の張出板４１が設けられているため、フラッシュライト４９からの照射光が直接ＣＣＤカメラ２６、２７の方向に照射されて、撮影の際の逆光になることが防止されている。
【００４９】
次に図７に基づいて、上記した自動写真撮影装置１のシステム構成を説明する。
【００５０】
制御手段５０は、自動写真撮影装置１の全体の制御を行うパーソナルコンピュータであり、バス５１により相互に接続されるＣＰＵ５２、ＲＯＭ５３、ＲＡＭ５４、及び、ハードディスク５６、ＣＤ−ＲＯＭ５７並びに後述の外部機器に接続されるインターフェース（Ｉ／Ｆ）５５を備えて構成されている。
【００５１】
ＣＰＵ５２は、自動写真撮影装置１全体の動作、処理等を制御するものであり、ＲＯＭ５３は、パーソナルコンピュータを制御するための基本的なプログラムを格納し、ＲＡＭ５４は、ＣＰＵ５２の作業用データや、利用者が行った入力を一時的に格納し、ハードディスク５６は、ＣＤ−ＲＯＭ５７から読み込まれたプログラムや、撮影や被写体画像の編集に供される種々のデータを格納するために使用される。
【００５２】
また、インターフェース５５には、ＣＣＤカメラ２６、２７、ディスプレイ２８、２９、タッチパネル式モニタ３０、３３、タッチペン３４ａ、３４ｂの他、各カーテン４６、４７のモータ４８の動作を個別に制御するモータ制御部５８、スピーカ３２、３５に接続された音響制御部５９、コイン処理部６０、プリンタ６１、及び、写真撮影時に撮影ブース１０内に照明光を照射するフラッシュライト２１ｃ、２２ｃ、２４ｃ、２５ｃなどの発光を制御する第１照明制御手段６２、カーテン収容部４０に設けられたフラッシュライト４９の発光を制御する第２照明制御手段６３、などの外部機器に接続されており、ＣＰＵ５２とこれら各機器との間における信号の授受が可能とされている。
【００５３】
ここで、筺体２０の正面、及び、裏面のタッチパネル式モニタ３０、３３は、ともに、透明なタッチパネルを液晶モニタに積層して構成したものであり、タッチパネル式モニタ３０は、利用者が液晶モニタ上の表示に指先を触れさせることにより、また、タッチパネル式モニタ３３は、２人の利用者による操作を可能とするために２本配置されているいずれかのタッチペン３４ａ、３４ｂの先端を液晶モニタ上の表示に触れさせることにより、各種の入力を可能とするものである。
【００５４】
また、コイン処理部６０は、コイン投入口３１に投入された硬貨を検出し、所定の利用料金が支払われた場合はＣＰＵ５２にその旨を通知するものであり、プリンタ６１は、レイアウトされた撮影画像を例えばＡ６サイズの写真シールに印刷して写真排出口３６に排出するものである。
【００５５】
図８は、自動写真撮影装置１の全体の動作を説明するフローチャートである。
【００５６】
コイン処理部６０から所定のコイン検出信号をＣＰＵ５２が受信した場合、制御手段５０は、まず、撮影モード選択の受け付け（ステップＳ１）を実行する。
【００５７】
ステップＳ１では、タッチパネル式モニタ３０上において、図９（ａ）に示すような撮影モード選択画面６５が表示され、利用者がマニュアルでカーテンの種類を選択しながら撮影を行う「ノーマルモード」と、プログラム制御で自動的にカーテンの選択や写真撮影が進行する「カメラマンモード」などの選択肢のいずれかを、利用者が指先でタッチすることにより撮影モードを選択することができる。
【００５８】
ステップＳ１で「カメラマンモード」の選択が行われた場合には、更に、タッチパネル式モニタ３０に、図９（ｂ）に示すようなカメラマン選択画面６６が表示され、「ギャル」、「マリリンアントワネット」、「探検隊」、「宇宙人」などの複数種類のカメラマンオプションのいずれかを指先でタッチすることにより、「カメラマンモード」において実行される撮影セッションの種類を選択できるようになっている（ステップＳ２）。
【００５９】
ステップＳ２において、いずれかのカメラマンオプションの選択が行われると、ＣＰＵ５２は、選択されたオプションに対応するプログラム、及び、当該プログラムの実行に使用する各種のデータ（音響データやフレーム画像のデータなど）をハードディスク５６から読みとって、撮影セッションを実行する（ステップＳ３）。
【００６０】
図１０（ａ）は、ステップＳ３において実行される例示的な撮影セッションの流れを示すフローチャートである。
【００６１】
この撮影セッションでは、ステップＳ２において選択されたカメラマンオプションに合った雰囲気のナレーションや音楽が再生される中、ディスプレイ２８、又は、２９上において、ＣＣＤカメラ２６、又は、２７による利用者のスルーの映像とともに、それぞれのカメラマンオプション用に準備されたフレーム画像のうちの第１番目のフレーム画像を前景として重ね合わせて表示するフレーム処理が実行され（ステップＳ１１）、続いて、例えば、丸形の型抜部を有する型抜カーテン４６と黄色に着色された着色カーテン４７が繰り出されて撮影視野内に展開されるなど、最初の写真撮影のためのカーテンのセッティングが行われる（ステップＳ１２）。
【００６２】
図１１は、このとき、ディスプレイ２８、又は、２９に表示される映像６８の例を示している。
【００６３】
図示されるように、利用者６８ａの背景には、型抜カーテン４６の型抜部４６ｂと、その型抜部４６ｂから見える背面側の着色カーテン４７、又は、背面板４５の色彩が写り込んでおり、また、その前景として、選択されたカメラマンオプション用に準備された第１番目のフレーム画像６８ｂが画像枠部周辺にレイアウトされている。
【００６４】
このとき表示されているフレーム画像６８ｂは、後述の編集ステップにおいても、編集対象の画像にフレームとして合成されて表示され、或いは、印刷されるものであり、従って、利用者は、編集対象、或いは、印刷対象となるフレーム付きの状態の画像を確認しながら写真撮影を行うことが可能である。
【００６５】
その後、「３、２、１」のカウントダウン音声に合わせて写真撮影が行われ、図１１の態様の画像がハードディスク５６に記録される（ステップＳ１３）。
【００６６】
この写真撮影が実行される際、第１照明制御手段６２は、筺体２０、及び、撮影ブース１０内の所定のフラッシュライト２１ｃ、２２ｃ、２４ｃ、２５ｃなどを発光させて、照明光を被写体に照射し、これに同期して、第２照明制御手段６３は、フラッシュライト４９を発光させ、型抜カーテン４６の型抜部４６ａ、４６ｂの影が着色カーテン４７や背面板４５上に生じることが防止される。
【００６７】
続いて、タッチパネル式モニタ３０上において、図９（ｃ）に示されるようなストーリー選択画面６７が表示され、ストーリーオプションの選択の受付が実行される（ステップＳ１４）。
【００６８】
ストーリーオプションとしては、例えば、ステップＳ１２において選択されたカメラマンオプションが「探検隊」であれば、「エジプト」、「アマゾン」など、それぞれのカメラマンオプションに関連する複数のオプションが準備されており、ストーリーオプション毎に、それぞれ異なるナレーションや音楽を再生することで、それぞれ異なるストーリーが展開され、また、各写真撮影において使用されるフレーム画像、及び、カーテンも、選択されたストーリーオプション毎に、異なる組み合わせとなるようにされている。
【００６９】
ストーリーオプションの選択が受け付けられると、ステップＳ１１〜Ｓ１３と同様にして、選択されたストーリーオプション用のフレーム画像の表示（ステップＳ１５）、選択されたストーリーオプション用のカーテンのセッティング（ステップＳ１６）、写真撮影（ステップＳ１７）の各ステップが６回繰り返して実行される。
【００７０】
図１０（ｂ）は、「カメラマンモード」の撮影セッションの他の例を示すフローチャートである。
【００７１】
図１０（ｂ）に示す撮影セッションは、ステップＳ１４と同様の態様でのストーリーオプションの選択（ステップＳ２１）が最初に実行され、その後、選択されたストーリーオプション用に準備されたナレーション、音楽が再生される中、選択されたストーリーオプション用に準備された、毎回の写真撮影毎に異なるフレーム画像とカーテンを使用して、７回の写真撮影が連続して実行される点を除いて、図１０（ａ）と同様の態様で撮影が進行するものであり、ステップＳ３において、図１０（ａ）の撮影セッションに代えて、図１０（ｂ）の撮影セッションが実行されるようにすることも可能である。
【００７２】
或いは、ステップＳ２において選択されたカメラマンオプションに応じて、所定のカメラマンオプションの場合は図１０（ａ）の撮影セッションが実行され、他のカメラマンオプションの場合は図１０（ｂ）の撮影セッションが実行されるようにすることも可能である。
【００７３】
なお、図１０（ａ）、（ｂ）では、毎回の撮影毎に、フレーム処理、及び、カーテンのセッティングが実行される例を示したが、例えば、撮影セッションの所要時間を短縮する目的で、各回のフレーム処理、及び／又は、カーテンのセッティングの一部を省略しても構わない。また、ステップＳ１３、Ｓ１７、Ｓ２４の各ステップで、２枚ずつ、或いは、それ以上の画像を撮影するようにして、フレーム処理やカーテンのセッティングの回数を増加させずに撮影する画像数を増加させることもできる。
【００７４】
このように、ナレーションの声質、内容、或いは、音楽などが様々に工夫された、それぞれ異なる雰囲気の演出を行いつつ写真撮影が実行される複数種類のカメラマンモードを選択可能とすることで、利用者の様々な嗜好に対応することができ、更に、それぞれのカメラマンモード毎に様々なストーリーを展開しつつ写真撮影を行う複数のストーリーモードを選択可能することで、繰り返して装置を利用する利用者にも飽きを感じさせないようにすることができる。
【００７５】
また、上記のように、カメラマンモードとストーリーオプションの組み合わせで、撮影セッションの種類が増加した場合でも、複数の型抜カーテンと複数の着色カーテン及び背面板との組み合わせにより、カーテンの本数を増加させることなく、使用できる背景の種類を増加させることが可能であるため、それぞれの撮影セッションで、多様性に富む背景の選択が可能になる。
【００７６】
図１２は、ステップＳ１においてノーマルモードが選択された場合に実行される撮影セッション（ステップＳ４）の流れを示すフローチャートである。
【００７７】
この場合、制御手段５０はまず、タッチパネル式モニタ３０上にカーテン選択画面を表示して、利用者にカーテンの選択を促す（ステップ３１）。
【００７８】
図１３は、カーテン選択画面６９の一例であり、上段の枠６９ａ中に使用可能な型抜カーテン４６のイメージ画像が示され、下段の枠６９ｂ中に着色カーテン４７、及び、カーテン収容部の背面板４５の色彩が施されたイメージ画像が示されており、上下段の枠６９ａ、ｂからそれぞれ好みの画像を指先でタッチし、その後、画面下の決定ボタン６９ｃを指先でタッチすることで、使用するカーテンを選択することが可能となっている。
【００７９】
なお、型抜カーテンは選択しないことも可能であり、その場合は、上段の「型抜カーテンなし」を選択すれば良い。
【００８０】
続いて、カーテン選択画面において決定ボタンがタッチされると、タッチパネル式モニタ３０上に、使用可能なフレーム画像の一覧が表示され、好みの画像を指先でタッチすることで、写真撮影時に使用されるフレーム画像の指定を行うことができる（ステップＳ３２）。
【００８１】
ステップＳ３１、Ｓ３２の選択が行われると、制御手段５０は、ステップＳ３１で選択されたカーテンを撮影視野内に展開させ、また、図１０と同様の態様で、ディスプレイ２８、２９上にＣＣＤカメラ２６、２７による撮影画像に重ね合わせてステップＳ３２で選択されたフレーム画像を表示させる。
【００８２】
その後、「３、２、１」のカウントダウン音声に合わせて写真撮影が行われ、その瞬間にディスプレイ２８、２９上に表示されていた状態の画像（図１０の態様の画像）がハードディスク５６に記録される（ステップＳ３３）。
【００８３】
このとき、第１照明制御手段６２は、筺体２０、及び、フラッシュライト２１ｃ、２２ｃ、２４ｃ、２５ｃなどを発光させて、撮影のための照明を被写体に照射し、これに同期して、第２照明制御手段６３は、フラッシュライト４９を発光させ、型抜カーテン４６の型抜部の影が着色カーテン４７や背面板４５上に生じることを防止する。なお、この場合も、カメラマンモードの場合と同様に、フレーム処理、及び／又は、カーテンのセッティングの回数を減少させ、或いは、ステップＳ３３において、２枚、又は、それ以上の画像を撮影するようにすることも可能である。
【００８４】
その後、上記のステップＳ３１〜Ｓ３３が所定回数（この実施例では７回）繰り返されて、ノーマルモードによる撮影セッション（ステップＳ４）が終了する。
【００８５】
撮影セッション（ステップＳ３、又は、Ｓ４）の終了後、後続の編集ステップで使用する写真画像の選択の受付が行われる（ステップＳ５）。
【００８６】
このステップでは、タッチパネル式モニタ３０上に、撮影された各写真画像が表示され、指先で希望の写真画像をタッチすることにより、所定数（この実施形態では６枚）の写真画像の選択が行われる。
【００８７】
続いて、スピーカ３２から「らくがき側に移動してね」というアナウンスが出力され、利用者が撮影ブース１０から筺体２０の裏面側に誘導された後、編集ステップ（ステップＳ６）以降の処理が実行される。なお、編集ステップ（ステップＳ６）以降の処理が開始されると、別の利用者に対して上記ステップＳ１〜Ｓ５の処理を実行することが可能になる。
【００８８】
編集ステップでは、タッチパネル式モニタ３３に、図１４に示す編集画面７０が表示される。
【００８９】
図１４に示されるように、編集画面７０には、編集対象の画像を表示する画像表示部７１ａ、ｂ、撮影セッション（ステップＳ３、又は、Ｓ４）において撮影した複数の画像を縮小サイズで表示するサムネイル表示部７２、「ペン」や「スタンプ」、「フレーム」、或いは、「消しゴム」など、編集の種類を指定するための各種の編集アイコンが表示される編集アイコン表示部７３、各編集アイコンに対応して、編集の内容を指定するためのメニューウインド７４ａ、ｂが表示されている。
【００９０】
なお、編集画面７０の上部に表示される残り時間表示部７５には、編集のための残り時間がカウントダウン方式で表示されており、残り時間がゼロになった時点で編集ステップが自動的に終了し、レイアウト設定の受付（ステップＳ７）が実行されるようになっている。
【００９１】
また、残り時間がゼロになる前であっても、編集画面７０の下部に表示されるおわりボタン７６をタッチペン３４ａ、ｂで操作することで編集ステップを終了させて、レイアウト設定の受付（ステップＳ７）に移行することも可能である。
【００９２】
ここで、画像表示部７１ａ、ｂの編集対象画像は、サムネイル表示部７２から、それぞれタッチペン３４ａ、ｂを用いて選択することができる。
【００９３】
また、「ペン」のアイコンは、線角の自由描画のためのアイコンであり、タッチペン３４ａ、又は、３４ｂで「ペン」のアイコンを操作すると、７４ｂに示されるようなさまざまな線種の選択肢がそれぞれメニューウィンド７４ａ、又は、７４ｂに表示され、いずれかの選択肢を選択後、画像表示部７１ａ又は、７１ｂにおいて、それぞれタッチペン３４ａ、３４ｂを移動させた軌跡に従って、選択された線種で線図が描画されるようになっている。
【００９４】
なお、「ペン」用のメニューウィンドは、７４ｂに示されるように、その上部に、「ノーマル」、「キラキラ」、「コロコロ」、「いろいろ」などのタブが表示され、このタブをタッチペン３４ａ、ｂで操作することで、選択できる線種を変更することが可能である。
【００９５】
また、「いろいろ」タブを選択した場合には、７４ｂに例示されるような特殊な線種を選択することができ、例えば、７４ｂの下段に示される１０種類の線種は、画像付き線分であり、この線種を選択した後に画像表示部上でタッチペンを移動させると、画像表示部７１ｂ中に描画されている７７ａ〜７７ｃのように、選択した線種による所定距離の線分と、「ハート」や「星」、「花」などの画像とが交互に繰り返される特殊鎖線による描画を行うことができる。
【００９６】
また、「スタンプ」のアイコンは、種々のスタンプ画像の貼り付けのためのアイコンであり、タッチペン３４ａ、又は、３４ｂで「スタンプ」のアイコンを操作すると、７４ａに示されるような各種のスタンプ画像の選択肢がそれぞれメニューウィンド７４ａ、又は、７４ｂに表示され、いずれかのスタンプ画像を選択後、画像表示部７１ａ、又は、７１ｂにおいて、それぞれタッチペン３４ａ、３４ｂを操作した位置に、選択されたスタンプ画像を貼り付ける編集が行われるようになっている。
【００９７】
なお、７４ａに例示されるスタンプ用メニューウィンドの上段左隅に示されているのは、「カラーチェンジボタン」であり、このボタンをタッチペンで操作する毎に、メニューウィンド内に表示されている「ハート」や「星」、「花」、「リボン」などのそれぞれのスタンプ画像に付された色彩が、一斉に「赤」→「青」→「黄色」→「赤」のように変化し、色彩を変化させてからスタンプ画像を選択することで、その色彩のスタンプ画像による貼り付けの編集ができるようになっており、これにより、分かりやすい態様で、より多様なスタンプ画像の貼り付けを行いうるようになっている。
【００９８】
また、「フレーム」のアイコンは、撮影された写真画像にフレーム画像を合成させるためのアイコンであり、タッチペン３４ａ、又は、３４ｂで「フレーム」のアイコンを操作すると、選択可能なフレーム画像の選択肢がそれぞれメニューウィンド７４ａ、又は、３４ｂに表示され、いずれかのフレーム画像を選択後、画像表示部７１ａ、又は、７１ｂにおいてそれぞれタッチペン３４ａ、３４ｂを操作すると、選択されたフレーム画像が前景として写真画像に合成されるようになっている。
【００９９】
なお、上述の通り、本実施形態に係る自動写真撮影装置１では、撮影セッション（ステップＳ３、Ｓ４）における撮影の時点で、撮影された写真画像にフレーム画像が合成されているが、上記操作を行うことで、好みのフレーム画像に変更することが可能である。
【０１００】
また、「消しゴム」のアイコンは、入力された編集を消去するためのアイコンであり、「消しゴム」のアイコンを選択後に、画像表示部７１ａ、又は、７１ｂ上で、それぞれタッチペン３４ａ、又は、３４ｂを操作することで、タッチペンが触れた位置に入力されていた各種の編集を消去することができ、従って、例えば、撮影セッションにおいて合成されていたフレームが気に入らない場合には、「消しゴム」のアイコンによりこれを消去することも可能である。
【０１０１】
編集のための残り時間がゼロとなり、又は、おわりボタン７６が操作されると、レイアウト設定のステップ（ステップＳ７）が実行される。
【０１０２】
このステップでは、撮影され、或いは更に、編集が加えられた複数の画像、及び、推奨レイアウトがタッチパネル式モニタ３３上に表示され、利用者が印刷を希望する画像、及び、レイアウトをタッチペン３４ａ、ｂにより選択することにより、画像印刷のレイアウトを設定できるようにされている。
【０１０３】
レイアウトの設定の終了後、選択された画像、及び、レイアウトのデータは、制御手段５０によりプリンタ６１に伝送され、写真プリントの印刷（ステップＳ８）が実行され、印刷された写真プリントが写真排出口３６から利用者に提供される。
【０１０４】
以上、本発明の一実施形態に係る画像処理装置を例に本発明の説明を行ったが、本発明は、上記実施形態に限定されるものではなく、特許請求の範囲に記載の範囲において、種々の改変が可能である。
【０１０５】
例えば、上記実施形態においては、型抜カーテンと着色カーテンを組み合わせて使用することで背景の種類を多様化させた自動写真撮影装置を例として説明したが、複数の着色カーテン、及び／又は、複数の型抜カーテンを前面側から背面側にかけて配列し、前面側にあるいずれかの着色カーテン、又は、型抜カーテンを部分的に（例えば、半分程度、１／３程度など）撮影視野内に展開し、これよりも背面側にある着色カーテン、又は、型抜カーテンを完全に撮影視野内に展開させるなど、背面側のカーテンを前面側のカーテンよりも、より多く撮影視野内に展開させることで、２枚以上のカーテンを組み合わせた背景を構成するようにしても構わない。
【０１０６】
また、上記実施形態においては、ロール状に巻かれたカーテンの繰り出しと巻き取りを、制御手段により制御されるモータにより行うことで、撮影視野内への展開と収納を行う場合について説明したが、カーテンの撮影視野内への展開と収納を行う機構は任意であり、例えば、カーテン収容部の天井付近に設けられたカーテン収容部の幅方向に延在するカーテンレールにランナーを介してカーテンを吊設し、ランナーにカーテンを牽引させてカーテンを開閉することで撮影視野内への展開と収納を行うようにしても可能であり、また、利用者が手でカーテンを引っ張ることで、カーテンの展開と収納を行うようにしても構わない。
【０１０７】
また、上記実施形態においては、カーテン収容部の一方の側壁に第２の照明手段を構成する２つのフラッシュライトを設ける場合について説明したが、第２の照明手段は、１つのフラッシュライト、或いは、３以上のフラッシュライトにより構成することも可能であり、また、第２の照明手段は、カーテン収容部の一方の側壁だけでなく、双方の側壁に設置することも可能であり、これと併せて、或いは、これに代えて、カーテン収容部の天井面、或いは、床面に設置することも可能である。
【０１０８】
更に、第２の照明手段は、それぞれの着色カーテン、又は、背面板の表面を照明するために複数設けることも可能であり、カーテン収容部の側壁、天井面、床面における、それぞれの着色カーテン、又は、背面板の前面側の位置に、それぞれの第２の照明手段を設けることも可能である。
【図面の簡単な説明】
【０１０９】
【図１】本発明の一実施形態に係る自動写真撮影装置の側面図。
【図２】本発明の一実施形態に係る自動写真撮影装置が備える筺体の正面側一部切り欠き斜視図。
【図３】本発明の一実施形態に係る自動写真撮影装置が備える筺体の裏面図。
【図４】本発明の一実施形態に係る自動写真撮影装置の撮影ブース内部、及び、カーテン収容部を示す説明図。
【図５】プリズムパネルの断面を示す説明図。
【図６】型抜カーテンの形態を示す説明図。
【図７】本発明の一実施形態に係る自動写真撮影装置のシステム構成を示すブロック図。
【図８】本発明の一実施形態に係る自動写真撮影装置の全体の動作を説明するフローチャート。
【図９】（ａ）は動作モード選択画面、（ｂ）はカメラマン選択画面、（ｃ）はストーリー選択画面。
【図１０】（ａ）、（ｂ）は、それぞれ、カメラマンモードにおける例示的な撮影セッションの流れを示すフローチャート。
【図１１】ディスプレイ２８、又は、２９に表示される映像の例を示す説明図。
【図１２】ノーマルモードにおける撮影セッションの流れを示すフローチャート。
【図１３】カーテン選択画面の一例を示す説明図。
【図１４】編集画面の一例を示す説明図。
【符号の説明】
【０１１０】
１  自動写真撮影装置
１０  撮影ブース
１１  天井面
１２  側面
１３  開口
１４  カーテン
１５  ライトボックス
２０  筐体
２１ａ、２２ａ、２３ａ  拡散板
２４ａ、２５ａ  プリズムパネル
２１ｂ、２２ｂ  蛍光灯
２１ｃ、２２ｃ、２４ｃ、２５ｃ  フラッシュライト
２１ｄ、２２ｄ、２４ｄ、２５ｄ  発泡樹脂製反射板
２１ｅ、２２ｅ、２４ｅ、２５ｅ  アルミ製導光板
２６、２７  ＣＣＤカメラ
２８、２９  ディスプレイ
３０  タッチパネル式モニタ
３１  コイン投入口
３２  スピーカ
３３  タッチパネル式モニタ
３４ａ、３４ｂ  タッチペン
３５  スピーカ
３６  写真排出口
４０  カーテン収容部
４１  張出板
４２  透明隔壁
４３  天井部
４４  側壁部
４５  背面板
４６  型抜カーテン
４６ａ、４６ｂ  型抜部
４７  着色カーテン
４８  モータ
４９  フラッシュライト
５０  制御手段
５１  バス
５２  ＣＰＵ
５３  ＲＯＭ
５４  ＲＡＭ
５５  インターフェース
５６  ハードディスク
５７  ＣＤ−ＲＯＭ
５８  モータ制御部
５９  音響制御部
６０  コイン処理部
６１  プリンタ
６２  第１照明制御手段
６３  第２照明制御手段
６５  撮影モード選択画面
６６  カメラマン選択画面
６７  ストーリー選択画面
６８  映像
６８ａ  利用者
６８ｂ  フレーム画像
６９  カーテン選択画面
７０  編集画面
７１ａ、７１ｂ  画像表示部
７２  サムネイル表示部
７３  編集用アイコン表示部
７４ａ、７４ｂ  メニューウィンド
７５  時間表示部
７６  終了ボタン
【図１】
2005208352.tif 000003
【図２】
2005208352.tif 000004
【図３】
2005208352.tif 000005
【図４】
2005208352.tif 000006
【図５】
2005208352.tif 000007
【図６】
2005208352.tif 000008
【図７】
2005208352.tif 000009
【図８】
2005208352.tif 000010
【図９】
2005208352.tif 000011
【図１０】
2005208352.tif 000012
【図１１】
2005208352.tif 000013
【図１２】
2005208352.tif 000014
【図１３】
2005208352.tif 000015
【図１４】
2005208352.tif 000016